(57)【要約】      （修正有）【課題】スマートフォンなどの携帯電子機器を落とすことを防止するとともに、文字、図形、写真等により装飾することが可能な滑り止めシート及びそれが貼付された携帯電子機器用カバーを提供する。【解決手段】本考案に係る滑り止めシート１０は、ＪＩＳ  Ｋ  ６２５３−３に従って測定したデュロメータ硬さがＡ３０〜Ａ６０であり、厚さが０．１〜０．８ｍｍである透明な滑り止め層１１と、印刷が施された印刷層１３と、被着体に貼付するための吸着層１４とをこの順に有する。本考案に係る滑り止めシート１０は、さらに、滑り止め層１１と印刷層１３の間に配置された透明な接着層１２を有することが好ましい。本考案に係る携帯電子機器用カバーは、上記の滑り止めシート１０が貼付されている。【選択図】図１
0003209878.tif 000002
【実用新案登録請求の範囲】
【請求項１】
ＪＩＳ  Ｋ  ６２５３−３に従って測定したデュロメータ硬さがＡ３０〜Ａ６０であり、厚さが０．１〜０．８ｍｍである透明な滑り止め層と、
印刷が施された印刷層と、
被着体に貼付するための吸着層と
をこの順に有する滑り止めシート。
【請求項２】
さらに、前記滑り止め層と前記印刷層の間に配置された透明な接着層を有する請求項１に記載の滑り止めシート。
【請求項３】
前記滑り止め層が、シリコーンゴムで形成されている請求項１又は２に記載の滑り止めシート。
【請求項４】
前記印刷層には、写真が印刷されている請求項１〜３のいずれか１項に記載の滑り止めシート。
【請求項５】
前記被着体が、携帯電子機器である請求項１〜４のいずれか１項に記載の滑り止めシート。
【請求項６】
前記被着体が、携帯電子機器に取り付ける携帯電子機器用カバーである請求項１〜４のいずれか１項に記載の滑り止めシート。
【請求項７】
請求項６に記載の滑り止めシートが貼付されている携帯電子機器用カバー。
【考案の詳細な説明】
【技術分野】
【０００１】
本考案は、スマートフォンなどの携帯電子機器に使用される滑り止めシート及びそれが貼付された携帯電子機器用カバーに関する。
【背景技術】
【０００２】
スマートフォンなどの携帯電子機器は、その筐体が滑りやすい樹脂で形成されていることが多く、使用中に誤って手から落としてしまったり、傾斜のある台に置いておくと滑り落ちたりする。また、マナーモードに設定している場合には、電話やメールの着信時に振動が発生するため、携帯電子機器を落としてしまう可能性は高まる。携帯電子機器を落としてしまうと、携帯電子機器が壊れてしまうことがあり、また壊れなくとも表示部のガラスが割れてしまうことがある。
【０００３】
そこで、携帯電子機器に滑り止め機能を有するシート状のものを貼付することで、携帯電子機器を落とすことを防止する試みがなされている。特許文献１には、表面に適度な粘着性のある軟質な発泡合成樹脂があり、それを携帯機器に貼付するための接着剤を貼付又は塗布した、滑り止めシールが記載されている。特許文献２には、裏面に文字や図形が印刷された透明フィルムと、該透明フィルムの表面に形成された多数の小突起と、該透明フィルムの裏面に貼着し透明フィルムを保持するクッションシートと、該クッションシートの裏面に塗布された粘着剤層とで構成される携帯電子機器用滑り止め用具が記載されている。
【先行技術文献】
【特許文献】
【０００４】
【特許文献１】特開２０００−１６２９６９号公報
【特許文献２】実用新案登録第３１３８００５号公報
【考案の概要】
【考案が解決しようとする課題】
【０００５】
しかし、特許文献１の滑り止めシールは、発泡合成樹脂の厚みを１〜２ｍｍにすることを想定していることから、近年の超薄型化が進んだ携帯電子機器に貼付すると、結果として携帯電子機器全体が厚くなってしまう。特許文献２の携帯電子機器用滑り止め用具は、その表面に多数の小突起が形成されているため、それを貼付した携帯電子機器を持ったときの感触があまりよくない。また、クッションシートとして１〜５ｍｍの厚みを有するポリエチレン等で形成することを想定していることから、上記と同様に、結果として携帯電子機器全体が厚くなってしまう。
【０００６】
そこで、本考案は、スマートフォンなどの携帯電子機器を落とすことを防止するとともに、文字、図形、写真等により装飾することが可能な滑り止めシート及びそれが貼付された携帯電子機器用カバーを提供することを目的とする。
【課題を解決するための手段】
【０００７】
本考案は、ＪＩＳ  Ｋ  ６２５３−３に従って測定したデュロメータ硬さがＡ３０〜Ａ６０であり、厚さが０．１〜０．８ｍｍである透明な滑り止め層と、印刷が施された印刷層と、被着体に貼付するための吸着層とをこの順に有する滑り止めシート及びそれが貼付されている携帯電子機器用カバーである。
【考案の効果】
【０００８】
本考案によれば、スマートフォンなどの携帯電子機器を落とすことを防止するとともに、文字、図形、写真等により装飾することができる。
【図面の簡単な説明】
【０００９】
【図１】本考案の一実施形態に係る滑り止めシートの構成を示す断面図である。
【図２】本考案の一実施形態に係る滑り止めシートをスマートフォンの裏面に貼付した状態を示す斜視図である。
【図３】本考案の一実施形態に係る滑り止めシートをスマートフォン用カバーの裏面に貼付した状態を示す斜視図である。
【考案を実施するための形態】
【００１０】
本考案の一実施形態に係る滑り止めシートの構成を図１に示す。この滑り止めシート１０では、滑り止め層１１と、接着層１２と、印刷層１３と、吸着層１４とがこの順に積層されている。さらに、吸着層１４の表面には、それを保護するための剥離シート１５が貼り付けられている。
【００１１】
本考案に係る滑り止めシート１０は、最外層として滑り止め層１１を有している。滑り止め層１１は、適度な柔らかさを持ちつつ、高い摩擦力を発現し、携帯電子機器を落とすのを防止するための層である。
【００１２】
滑り止め層１１の厚さは０．１〜０．８ｍｍとする。滑り止め層１１の厚さをこの範囲とすることで、超薄型化が進んだ携帯電子機器に貼付しても厚さの増加がほとんど気にならず、それでいて携帯電子機器を落とすのを防止する効果を発現することができる。滑り止め層１１の厚さは、０．３〜０．６ｍｍとすることが好ましく、０．４〜０．５５ｍｍとすることがより好ましく、例えば０．５ｍｍとすることができる。
【００１３】
滑り止め層１１の硬さに関しては、ＪＩＳ  Ｋ  ６２５３−３に従って測定したデュロメータ硬さをＡ３０〜Ａ６０とする。滑り止め層１１の硬さをこの範囲とすることで、適度な柔らかさを持ちつつ、高い摩擦力を発現することができる。滑り止め層１１のデュロメータ硬さは、Ａ４０〜Ａ５５とすることが好ましく、Ａ４５〜Ａ５２とすることがより好ましく、例えばＡ４８とすることができる。
【００１４】
滑り止め層１１は透明であることが必要である。滑り止め層１１を透明にすることで、印刷層１３に施された文字・図形・写真等の印刷を視認することができる。換言すると、「透明」とは、印刷層１３に施された印刷を視認できる状態であればよく、完全に透明であってもよいが、少し濁りや色が付いていてもよい。
【００１５】
上記のような特性を有する滑り止め層１１は、ゴムで形成されていることが好ましい。ゴムとしては、天然ゴム、ブタジエンゴム、スチレン・ブタジエンゴム、イソプレンゴム、クロロプレンゴム、ニトリルゴム、ブチルゴム、エチレンプロピレンゴム、クロロスルホン化ポリエチレン、アクリルゴム、フッ素ゴム、エピクロルヒドリンゴム、ウレタンゴム、シリコーンゴムが挙げられる。なかでも、シリコーンゴムがより好ましい。
【００１６】
本考案に係る滑り止めシート１０は、滑り止め層１１の内側に印刷層１３を有している。印刷層１３は、文字、図形、写真などの印刷を施すための層である。例えば、印刷層１３に施された文字や図形を広告宣伝媒体として使用することもでき、風景画や乗物の写真を印刷することで携帯電子機器の装飾に使用することもできる。
【００１７】
印刷層１３を形成する材料は、所望の印刷を施すことができる限りにおいて適宜選択することができる。印刷層１３は、単層構造でもよく、多層構造でもよい。多層構造としては、基材フィルムの上に、印刷を乗せやすくするための印刷易接着層を有する２層構造が挙げられる。基材フィルムとしては、ポリエチレンテレフタレート（ＰＥＴ）フィルム、ポリエチレンナフタレートフィルム、ポリエチレンフィルム、ポリプロピレンフィルム、ポリスチレンフィルム、ポリ塩化ビニルシート、アクリルフィルム、ポリアミドフィルム、ポリイミドフィルムが挙げられる。なかでも、ＰＥＴフィルムが好ましい。印刷易接着層は、例えば、基材フィルムの表面をプライマー処理することで形成することができる。
【００１８】
印刷層１３の厚さは、０．０１〜０．２ｍｍとすることが好ましく、０．０３〜０．１ｍｍとすることがより好ましく、例えば０．０５ｍｍとすることができる。印刷層１３の厚さをこの範囲とすることで、超薄型化が進んだ携帯電子機器に貼付しても厚さの増加がほとんど気にならず、それでいて文字、図形、写真などを印刷することができる。
【００１９】
本考案に係る滑り止めシート１０は、滑り止め層１１と印刷層１３の間に配置された接着層１２を有していてもよい。接着層１２は、滑り止め層１１と印刷層１３とを接着させるための層である。ただし、滑り止め層１１及び印刷層１３の少なくとも一方が接着性を有していて、滑り止め層１１と印刷層１３とを直接接着することができる場合には、本考案に係る滑り止めシート１０は接着層１２を有していなくてもよい。
【００２０】
ただし、接着層１２を形成する場合には、接着層１２は透明であることが必要である。接着層１２を透明にすることで、印刷層１３に施された文字・図形・写真等の印刷を視認することができる。換言すると、「透明」とは、印刷層１３に施された印刷を視認できる状態であればよく、完全に透明であってもよいが、少し濁りや色が付いていてもよい。
【００２１】
接着層１２を形成する材料は、滑り止め層１１と印刷層１３とを接着させることができる限りにおいて適宜選択することができる。印刷層１３は、単層構造でもよく、多層構造でもよい。多層構造としては、基材フィルムの一方の面に滑り止め層１１と容易に接着可能な粘着剤層を有し、もう一方の面に印刷層１３と容易に接着可能な粘着剤層を有する３層構造が挙げられる。基材フィルムとしては、ポリエチレンテレフタレート（ＰＥＴ）フィルム、ポリエチレンナフタレートフィルム、ポリエチレンフィルム、ポリプロピレンフィルム、ポリスチレンフィルム、ポリ塩化ビニルシート、アクリルフィルム、ポリアミドフィルム、ポリイミドフィルムが挙げられる。なかでも、ＰＥＴフィルムが好ましい。粘着剤層は、アクリル系粘着剤、ウレタン系粘着剤、シリコーン系粘着剤などで形成することができる。接着層１２を形成する材料としては、例えば、ＰＥＴフィルムの一方の面にシリコーン系粘着剤、もう一方の面にアクリル系粘着剤が形成された両面テープを使用することがせきる。
【００２２】
接着層１２の厚さは、０．０３〜０．３ｍｍとすることが好ましく、０．０７〜０．２ｍｍとすることがより好ましく、例えば０．１ｍｍとすることができる。接着層１２の厚さをこの範囲とすることで、超薄型化が進んだ携帯電子機器に貼付しても厚さの増加がほとんど気にならず、それでいて滑り止め層１１と印刷層１３とを接着させることができる。
【００２３】
本考案に係る滑り止めシート１０は、印刷層１３の内側に最内層として吸着層１４を有する。吸着層１４は、携帯電子機器や、携帯電子機器に取り付ける携帯電子機器用カバーなどの被着体に貼付するための層である。携帯電子機器としては、携帯電話、スマートフォン、タブレット端末、ノートパソコン（ウルトラブック）が挙げられる。
【００２４】
吸着層１４を形成する材料は、被着体に吸着して滑り止めシート１０を貼付することができる限りにおいて適宜選択することでき、例えば、アクリル系粘着剤、ウレタン系粘着剤、シリコーン系粘着剤などを用いることができる。例えば、吸着層１４を特殊シリコーン粘着剤で形成することで、被着体に吸着させた際に自然に気泡が抜けて、滑り止めシート１０を被着体にきれいに貼付することができる。
【００２５】
吸着層１４の厚さは、０．０１〜０．２ｍｍとすることが好ましく、０．０３〜０．１ｍｍとすることがより好ましく、例えば０．０５ｍｍとすることができる。吸着層１４の厚さをこの範囲とすることで、超薄型化が進んだ携帯電子機器に貼付しても厚さの増加がほとんど気にならず、それでいて被着体に貼付することができる。
【００２６】
本考案に係る滑り止めシート１０は、上記の効果を発現する限りにおいて、他の層を有していてもよい。滑り止めシート１０全体の厚さは、０．１５〜１．５ｍｍであることが好ましく、０．５〜１．０ｍｍであることがより好ましく、例えば０．７ｍｍとすることができる。本考案に係る滑り止めシート１０を流通させる際に、最内層である吸着層１４を保護する目的で、吸着層１４の表面に剥離シート１５を設けてもよい。
【００２７】
本考案に係る滑り止めシートを、携帯電子機器であるスマートフォンの裏面に貼付した状態を図２に示す。図２に示すように、スマートフォン２０の裏面には、カメラレンズ２１やライト２２が存在することも多いが、それを避けるように滑り止めシート１０を貼付することで、スマートフォン２０を落とすことを防止するとともに、印刷部により装飾することが可能となる。なお、図２では、四角形に形成された滑り止めシート１０をスマートフォン２０に貼付した状態を示したが、滑り止めシート１０の形状は四角形に限らず、三角形でも円形でもよく、またカメラレンズ２１やライト２２が存在する位置のみを除いたスマートフォン２０の裏面全面の形状でもよい。
【００２８】
また、本考案に係る滑り止めシートを、携帯電子機器用カバーであるスマートフォン用カバーの裏面に貼付した状態を図３に示す。図３に示すように、スマートフォン用カバー３０の裏面には、携帯電子機器に設けられたカメラレンズやライトを避けるための開口部３１が存在することも多いが、それを避けるように滑り止めシート１０を貼付することで、スマートフォン用カバー３０を取り付けたスマートフォンを落とすことを防止するとともに、印刷部により装飾することが可能となる。なお、図３では、四角形に形成された滑り止めシート１０をスマートフォン用カバー３０に貼付した状態を示したが、滑り止めシート１０の形状は四角形に限らず、三角形でも円形でもよく、また開口部３１が存在する位置のみを除いたスマートフォン用カバー３０の裏面全面の形状でもよい。
【００２９】
以上のように、本考案に係る滑り止めシートを携帯電子機器の裏面に貼付することで、または本考案に係る滑り止めシートを貼付した携帯電子機器用カバーを携帯電子機器に取り付けることで、携帯電子機器を落とすことを防止するとともに、文字、図形、写真等により装飾することができる。
【符号の説明】
【００３０】
１０    滑り止めシート
１１    滑り止め層
１２    接着層
１３    印刷層
１４    吸着層
１５    剥離シート
２０    スマートフォン
２１    カメラレンズ
２２    ライト
３０    スマートフォン用カバー
３１    開口部
【図１】
0003209878.tif 000003
【図２】
0003209878.tif 000004
【図３】
0003209878.tif 000005